(57)【特許請求の範囲】
【請求項１】
無線の信号を受信してシャッターの昇降動作を制御する制御信号を作成する受信部を有する電動シャッターにおいて、前記受信部に無線信号を送信する複数の無線送信機のうちの少なくとも１つの無線送信機は、固定用であって、押圧部を有する化粧カバーで取付部がカバーされ、コード入力キーと上昇，停止，下降の各操作キーと細穴の奥に設けられた盗難防止スイッチと制御手段を備え、前記化粧カバーの取付状態において、前記盗難防止スイッチは前記押圧部により押圧され、前記制御手段は、前記化粧カバーが取り外されて前記盗難防止スイッチの押圧が解除されたことにより、盗難信号を作成することを特徴とする電動シャッター。
【請求項２】
前記制御手段は、前記盗難信号の作成に基づいて、発音手段を作動させることを特徴とする請求項１に記載の電動シャッター。
【請求項３】
前記制御手段は、前記盗難信号の作成に基づいて、発音手段を作動させるとともに、前記受信部に盗難警報信号を送信することを特徴とする請求項１に記載の電動シャッター。
【請求項４】
前記制御手段は、所定のコード入力がされたとき、所定の時間が経過するまで、前記盗難信号を作成しないことを特徴とする請求項１ないし３のいずれか１項に記載の電動シャッター。
【請求項５】
前記制御手段は、所定のコード入力がされたとき、所定の時間が経過するまで、前記盗難信号に基づく動作を行なわないことを特徴とする請求項１ないし３のいずれか１項に記載の電動シャッター。
【請求項６】
前記受信部は、前記盗難警報信号の受信に基づいて警報を発生することを特徴とする請求項３に記載の電動シャッター。
【請求項７】
前記受信部は、前記盗難警報信号の受信に基づいて盗難信号を送信した無線送信機のＩＤコードを登録データから抹消することを特徴とする請求項３に記載の電動シャッター。
【発明の詳細な説明】
【０００１】
【発明の属する技術分野】
本発明は、無線で昇降操作を行なうことができる電動シャッター、特に、固定用の無線送信機を備えた電動シャッターに関するものである。
【０００２】
【従来の技術】
従来、電動シャッターにおいて、操作をするために、赤外線や電波を用いたリモコン式の携帯型送信機が用いられている。図１０は、電波を用いたリモコン式の電動シャッターの一例の構成図である。図中、６１はシャッタースラット、６２は開閉機、６３は開閉機制御盤、６４は障害物感知受信機、６５は無線受信機、６６は障害物感知部、６７は障害物感知信号送信部、６８は障害物感知信号受信部、６９はアンテナ、７０は押しボタンスイッチ、７１，７２は携帯型無線送信機である。
【０００３】
シャッタースラット６１は、建物の開口部等に設置され、駆動モータを備えた開閉機６２によって昇降される。開閉機６２は、開閉機制御盤６３によって制御されるが、開閉の制御信号は、障害物感知受信機６４，無線受信機６５，押しボタンスイッチ７０より開閉機制御盤６３に与えられる。
【０００４】
障害物感知受信機６４は、下降中のシャッタースラット６１が障害物に接触した場合、すなわち、シャッタースラット６１の座板と床面との間に荷物や人などの障害物があった場合に、座板等に設けられた障害物感知部６６が障害物の接触によって受ける力を感知して、障害物感知信号送信部６７から障害物感知信号を障害物感知信号受信部６８に伝達し、障害物感知信号受信部６８からの障害物感知信号を障害物感知受信機６４に入力する。この例では、障害物感知部６６は、障害物に押されて移動する座板により作動される座板スイッチによって構成され、座板スイッチの動作により障害物感知信号送信部６７が赤外線信号を送信し、受光器を有する障害物感知信号受信部６８が、赤外線信号を受信して、障害物感知受信機６４に受信信号を送るように構成されている。障害物感知受信機６４は、制御信号を開閉機制御盤６３に送る。
【０００５】
アンテナ６９は、携帯型無線送信機７１または７２からの無線信号を受信し、アンテナ６９に接続されている無線受信機６５で、携帯型無線送信機７１または７２からの受信信号を復調し、ＩＤコードのチェックを行ない、制御信号を開閉機制御盤６３に送る。
【０００６】
図１０で示したシャッターは、自動車用車庫や、店舗、倉庫等に用いられているが、携帯型無線送信機で操作をすると、ある程度離れた距離からも操作ができるなど、例えば、車の中からも遠隔操作の利点を生かして操作が可能であることによって、急速に普及しつつある。
【０００７】
この携帯型無線送信機は、外部からの操作のために設けられているものである。内部、すなわち、屋内側からの操作は、受信機側から有線で配線された押しボタンスイッチを備えたスイッチボックスが屋内の壁面に取り付けられており、この押しボタンスイッチを操作することによって、屋内からの開閉が行なわれる。
【０００８】
したがって、シャッターの設置にあたっては、屋外にアンテナを設置する。また、屋内側においては、スイッチボックスを取り付け、開閉機制御盤側からの配線を行なう作業が必要であり、配線、配管工事が不可欠であった。
【０００９】
【発明が解決しようとする課題】
本発明は、上述した事情に鑑みてなされたもので、固定用の無線送信機で操作できる電動シャッターであって、盗難防止機構を組み込んだ、取り外すと警報を発することができる無線送信機を備えた電動シャッターを提供することを目的とするものである。
【００１０】
【課題を解決するための手段】
請求項１に記載の発明は、無線の信号を受信してシャッターの昇降動作を制御する制御信号を作成する受信部を有する電動シャッターにおいて、前記受信部に無線信号を送信する複数の無線送信機のうちの少なくとも１つの無線送信機は、固定用であって、押圧部を有する化粧カバーで取付部がカバーされ、コード入力キーと上昇，停止，下降の各操作キーと細穴の奥に設けられた盗難防止スイッチと制御手段を備え、前記化粧カバーの取付状態において、前記盗難防止スイッチは前記押圧部により押圧され、前記制御手段は、前記化粧カバーが取り外されて前記盗難防止スイッチの押圧が解除されたことにより、盗難信号を作成することを特徴とするものである。
【００１１】
請求項２に記載の発明は、請求項１に記載の電動シャッターにおいて、前記制御手段は、前記盗難信号の作成に基づいて、発音手段を作動させることを特徴とするものである。
【００１２】
請求項３に記載の発明は、請求項１に記載の電動シャッターにおいて、前記制御手段は、前記盗難信号の作成に基づいて、発音手段を作動させるとともに、前記受信部に盗難警報信号を送信することを特徴とするものである。
【００１３】
請求項４に記載の発明は、請求項１ないし３のいずれか１項に記載の電動シャッターにおいて、前記制御手段は、所定のコード入力がされたとき、所定の時間が経過するまで、前記盗難信号を作成しないことを特徴とするものである。
【００１４】
請求項５に記載の発明は、請求項１ないし３のいずれか１項に記載の電動シャッターにおいて、前記制御手段は、所定のコード入力がされたとき、所定の時間が経過するまで、前記盗難信号に基づく動作を行なわないことを特徴とするものである。
【００１５】
請求項６に記載の発明は、請求項３に記載の電動シャッターにおいて、前記受信部は、前記盗難警報信号の受信に基づいて警報を発生することを特徴とするものである。
【００１６】
請求項７に記載の発明は、請求項３に記載の電動シャッターにおいて、前記受信部は、前記盗難警報信号の受信に基づいて盗難信号を送信した無線送信機のＩＤコードを登録データから抹消することを特徴とするものである。
【００１７】
【発明の実施の形態】
図１，図２は、本発明の電動シャッターの実施の形態の一例を説明するためのもので、図１は構成図、図２は屋内側と屋外側とを分けて図示した配置図である。図中、１はシャッタースラット、２は開閉機、３は開閉機制御盤、４は受信部、５は障害物感知部、６は障害物感知信号送出部、７は障害物感知信号検知部、８はアンテナ、９は携帯型無線送信機、１０は屋内設置用無線送信機、１１は屋外設置用無線送信機、１２は押しボタンスイッチ入力端子、１３はケースである。なお、図２では、シャッタースラット１の左側が屋内側、右側が屋外側である。
【００１８】
シャッタースラット１は、建物の開口部等に設置され、駆動モータを備えた開閉機２によって昇降される。開閉機２は、開閉機制御盤３によって制御されるが、開閉の制御信号は、受信部４から開閉機制御盤３に与えられる。
【００１９】
下降中のシャッタースラット１が障害物に接触した場合、すなわち、シャッタースラット１の座板と床面との間に荷物や人などの障害物があった場合に、座板等に設けられた障害物感知部５が障害物との接触によって受ける力を感知して、障害物感知信号送出部６から障害物感知信号を障害物感知信号検知部７に伝達し、障害物感知信号検知部７からの検知信号を受信部４に入力する。この実施の形態でも、従来例と同様に、障害物感知部５は、障害物に押されて移動する座板により座板スイッチが作動して、障害物感知信号送出部６がディジタルの赤外線信号を送出し、受光器を有する障害物感知信号検知部７が、赤外線信号を電気信号に変換して、受信部４に検知信号を送るように構成されている。
【００２０】
携帯型無線送信機９は、携帯することができ、例えば、車両に積んでおくことができる。携帯型無線送信機９は、ユーザの必要に応じて複数台を用いることができる。屋内設置用無線送信機１０は、携帯型無線送信機９と同様の仕様であるが、屋内の壁等に取り付けられたものである。屋外設置用無線送信機１１は、建物の外壁等の屋外に取り付けられたものである。屋内側からの操作や屋外側からの操作に無線送信機を用いると、配線を行なう必要がないから、配線工事や配管工事が不要であるという利点がある。
【００２１】
押しボタンスイッチ入力端子１２は、遠隔の場所、例えばシャッターが母屋から離れた自動車用の車庫に設置されている場合に、押しボタンスイッチを母屋に取り付けることによって、無線送信機からの電波や赤外線が届かない母屋からのシャッターの操作を行なうことが可能である。図１０で説明した屋内用の押しボタンスイッチを接続することも可能である。
【００２２】
なお、この実施の形態では、無線送信機は、電波を搬送波として用い、ディジタル信号の送信を行なうものとしたが、赤外線を搬送波として送信するものでもよい。超音波等を搬送波としたものでもよい。
【００２３】
シャッターの昇降操作について説明する。携帯型無線送信機９，屋内設置用無線送信機１０，屋外設置用無線送信機１１は、「上昇」「下降」「停止」のそれぞれの動作を指令する上昇キー，下降キー，停止キーの３つの操作キーを備えており、シャッターの操作を行なうことができる。ただし、屋外設置用無線送信機１１は、上記３つの操作キーに加えて、テンキーが設けられており、登録したＩＤ番号を入力した後でなければ、操作キーを操作しても、シャッターを制御することができないようにされている。
【００２４】
携帯型無線送信機９，屋内設置用無線送信機１０のＩＤ番号は、受信部４に登録されており、登録した携帯型無線送信機９，屋内設置用無線送信機１０以外の無線送信機からの操作信号では、シャッターは作動しない。しかし、携帯型無線送信機９，屋内設置用無線送信機１０では、操作キーを操作したときに、操作信号とともに、各送信機に記憶されているＩＤ番号のコード信号が、自動的に付加されて送信される。したがって、ユーザは、ＩＤ番号については、最初に各無線送信機のＩＤ番号を受信部４に登録しておけば、その無線送信機でシャッターを操作することができる。
【００２５】
押しボタンスイッチ入力端子１２に接続される押しボタンスイッチも、上昇キー，下降キー，停止キーの３つの操作キーを備えたものであり、シャッターの設置場所から離れたところに設置することによって、携帯型無線送信機９からの電波等が届かない場所からの操作を可能にするが、その必要がない場合には、押しボタンスイッチ入力端子１２に配線をする必要はない。
【００２６】
シャッタースラット１の下降中に障害物の接触を感知した場合のシャッターの動作は、障害物を感知した時点で直ちに停止し、所定の時間上昇し、そこで停止する動作、あるいは、上昇して停止した時点から所定時間が経過した後に再度の下降を行なうようにする動作、あるいは、この間に障害物が除去されない場合は、再度の下降中に障害物を再び感知して、停止、上昇を行ない、これを繰り返すようにする動作、あるいは、２度目の上昇後は、さらなる下降を行なわせないようにする動作、など、適宜の動作を行なわせるように設計される。上述したうちの複数の動作を行なうプログラムを組み込んでおいて、ディップスイッチ等で選択できるようにしてもよい。
【００２７】
障害物感知部５として座板スイッチを用いた場合には、通常の閉鎖動作において、シャッタースラットが下降して座板が床面等に接地した場合に、障害物を検知したと認識し、停止後に再上昇するという誤動作のおそれがある。この実施の形態では、シャッタースラットの下降の下限を検出する下限リミットスイッチを接地位置より１０〜２０ｍｍ手前の位置で検出するようにした（なお、１０〜２０ｍｍの値は例示であり、これに限られるものではない。）。下限リミットスイッチが作動した状態で座板スイッチが作動した場合は、床面等に接地したと判断して停止し、停止後に所定時間の反転上昇を行なう。この反転上昇を行なう所定時間は、一例では０〜１．５秒の範囲で可調整である。この所定時間を０にセットした場合は、座板スイッチの作動で停止となる。この所定時間を０以外にセットした場合は、床面等と隙間が開かない程度の反転上昇となる。
【００２８】
なお、障害物感知信号送出部は、座板スイッチの動作によって電源が投入され、障害物感知信号を送出するが、電源回路は一定時間の経過後に切れるようにタイマー回路で制御される。タイマー回路は、アナログ回路でも、ディジタル回路でもよい。したがって、閉鎖状態で座板スイッチが作動し続けても、不要に電源が消耗することはない。
【００２９】
下限リミットスイッチの作動前に座板スイッチが作動した場合（一般的には、障害物を感知した場合である。）は、５秒間反転上昇して停止する。所定時間後に再下降をするようにしてもよいが、この具体例では、反転上昇後の停止状態を保つようにした。障害物を除去した後に下降操作をすることによって、シャッターの閉鎖動作が完了できる。
【００３０】
図３は、受信部側の実施の形態の一例のブロック図である。図中、図１，図２と同様の部分には同じ符号を付して説明を省略する。４ａは中央処理装置（ＣＰＵ）、４ｂはプログラムや固有のデータを記憶したＲＯＭ、４ｃはＲＡＭ、４ｄ，４ｅ，４ｆ，４ｇは入力部、４ｈは出力部である。ＲＡＭ４ｃは、ＣＰＵ４ａの動作のための一時記憶に用いられるが、その少なくとも一部は、不揮発性のＲＡＭで構成され、無線送信機のＩＤコードや設定データ等を記憶する。入力部４ｄは、アンテナ８から受信した電波信号を復調する復調器を有しており、復調されたディジタル信号は、ＲＡＭ４ｃに格納され、解析される。入力部４ｅは、障害物感知信号受信部７からの出力信号を受信する。障害物感知信号送信部が作成したディジタル信号は、ＲＡＭ４ｃに格納され、解析される。入力部４ｆは、入力端子１２からの信号を受信するためのものであり、入力端子に接続された操作スイッチからの操作信号は、ＲＡＭ４ｃに格納され、解析される。入力部４ｇは、開閉機２から発生される上限リミットスイッチおよび下限リミットスイッチからの信号を受信するものであり、受信部４にシャッタースラットの上限位置信号および下限位置信号を入力する。出力部４ｈは、受信部４が作成したシャッターの制御信号を開閉機制御盤３に伝達するインターフェイスである。
【００３１】
図４は、屋内設置用無線送信機を説明するためのもので、図４（Ａ）は無線送信機の斜視図、図４（Ｂ）は取付台の斜視図、図４（Ｃ）は化粧カバーの斜視図、図４（Ｄ）は取り付けた状態の斜視図である。図中、２１は無線送信機、２２は上昇キー、２３は停止キー、２４は下降キー、２５は電池切れ表示部、２６はコード登録・抹消スイッチ、２７は取付台、２８は取付孔、２９は取付ねじ、３０は係合片、３１は化粧カバー、３２は蓋部、３３は窓部、３４は工具挿入孔である。
【００３２】
無線送信機２１は、この実施の形態では、携帯型無線送信機として用いられるものと同じものを用いているが、盗難等を考慮して取付台から外された場合に、シャッターの操作が不能となる機能を持たせるようにしてもよい。無線送信機２１には、上昇キー２２，停止キー２３，下降キー２４が設けられ、これらのキーを押すことにより、ＩＤ番号を含む操作信号を送信することができる。電池切れ表示部２５は、内蔵する電池の電圧が所定電圧以下になった場合に点灯表示をするが、間欠的に表示をさせるようにするのが、エネルギ効率上は好ましい。コード登録・抹消スイッチ２６は、受信部４に登録された他の無線送信機のＩＤコードの登録操作および抹消操作を行なうために設けられたものであり、小孔の奥にオンオフスイッチを設置しており、細い針状のものを挿入することによって、スイッチ操作をすることができる構造を採用している。
【００３３】
取付台２７は、取付ねじ２９を取付孔２８を通してねじ込むことによって、壁や柱等に取り付けられる。取付台２７を取り付けた後、無線送信機２１を載せて、化粧カバー３１を取付台２７に嵌め込む。化粧カバー３１の上下の内壁には、取付台２７の係合片３０に係合する被係合部があり、化粧カバー３１を嵌め合わせると、化粧カバー３１の被係合部が係合片３０に係合して食い込む。係合片３０は、弾性を有しており、被係合部に食い込むと、化粧カバー３１は、手では外せない状態となる。
【００３４】
化粧カバー３１を外すには、化粧カバー３１の上下の側面にそれぞれ設けられた工具挿入孔３４に、先端が先細の針状となった工具を差し込んで係合片３０を弾性に抗して押さえ付けて被係合部から外した状態で、化粧カバー３１を外すことができ、無線送信機２１を外すことができる。
【００３５】
このように、化粧カバー３１は、適当な工具を用いなければ外せないように取り付けられるものであり、したがって、工具を用いずに手だけでは壁面に固定された無線送信機２１は外すことができない。このように手だけでは外すことができない無線送信機の固定状態を、この明細書では、実質的に取り外し不能に固定された状態という。
【００３６】
無線送信機２１が実質的に取り外し不能に固定されていることにより、屋内の壁面に取り付けた無線送信機２１は、取り外し方を知らない者からの盗難を防止できる。
【００３７】
図５は、屋外設置用無線送信機の斜視図である。図中、４０は屋外設置用無線送信機本体部、４１は取付孔、４２は上昇キー、４３は停止キー、４４は下降キー、４５はコード入力キー、４６はカバー、４７はコード登録・抹消スイッチ、４８は盗難防止スイッチ、４９は電池蓋、５０は化粧カバーである。
【００３８】
屋外設置用無線送信機本体部４０は、取付孔４１に図示しない取付ビスを外壁等にねじ込んで固定される。ビス止めした後に、化粧カバー５０で取付部をカバーする。したがって、化粧カバー５０を外さないと、屋外設置用無線送信機本体部４０を取り付けた外壁等から外すことはできない。化粧カバー５０は、後述するように、この実施の形態では屋外設置用無線送信機本体部４０に嵌合させて取り付けているが、ねじ止めや、係合爪で係合させて工具で係合爪を外して取り外す図４で説明したような構造など、手では簡単に外すことができない取付構造を採用してもよい。化粧カバー５０の屋外設置用無線送信機本体部４０との接合面に、弾性を有するパッキング等を設けて、防水構造にするのがよい。
【００３９】
化粧カバー５０で覆われる面の上方の面には、上昇キー４２、停止キー４３、下降キー４４の操作キーと、９個のコード入力キー４５が設けられている。９個のコード入力キー４５は、数字の１〜９に対応させたものであるが、０を加えて１０個のコード入力キーを設けてもよく、あるいは、８個以下のコード入力キーで、一部の数字だけを用いるようにしてもよい。これらのキーは、カバー４６でカバーされる。カバー４６は、回動軸で取り付けられ、キー操作の際には、図のように上方へ開放して、キー操作面を露出させるようにしている。カバー４６に防水性能を持たせて、カバー４６を閉鎖した状態で、キー操作面に雨水が浸入しないようにするのがよい。キー操作面も防水構造を採用するのがよい。
【００４０】
化粧カバー５０で覆われる部分には、図４で説明したと同様のコード登録・抹消スイッチ４７と、盗難防止スイッチ４８が設けられている。盗難防止スイッチ４８も、小孔の奥に設置したオンオフスイッチを用いた構造であり、コード登録・抹消スイッチ４７と同様の構造である。盗難防止スイッチ４８は、化粧カバー５０の裏面側に突起状の部材が突出され、化粧カバー５０を取り付けた状態で、盗難防止スイッチ４８を押圧して、スイッチをオフ状態にしている。化粧カバー５０を取り外すと、盗難防止スイッチ４８がオンされて、無線送信機のＣＰＵを有する制御部において、盗難信号が作成される。
【００４１】
図６は、屋外設置用無線送信機の電池交換の説明図である。図中、図５と同様の部分には同じ符号を付して説明を省略する。５１はコイン、５２は電池収納部、５３はボタン電池である。
【００４２】
電池を交換するには、図６（Ａ）に示すように、コイン５１を用いて、化粧カバー５０を開ける。化粧カバー５０の下部の屋外設置用無線送信機本体部４０との境界部に図示しないスリット状の切り欠きがあり、この切り欠きにコイン５１を挿入してこじることによって、化粧カバー５０を外すことができる。上述したように、化粧カバー５０の取付構造は、コインで外す構造に限られないから、取付構造に適した工具や外し方を適用して化粧カバー５０を外す。
【００４３】
電池蓋４９を外すが、電池蓋４９もコインで外すことができる。図６（Ｂ）に示すように、コイン蓋４９を外して、電池を取り出し、電池収納部５２に新しいボタン電池５３を挿入して電池蓋４９を取り付けて、化粧カバー５０を取り付ける。なお、電池は、ボタン電池に限らず、他の型式の電池を用いてもよい。
【００４４】
図７は、盗難防止スイッチの動作を示すフローチャートの一例である。無線送信機は、待機状態においては、電源スイッチは投入されていない。上昇キー，停止キー，下降キーの３種類の操作キーやコード入力キーが押圧されると、それぞれのキーに対応したキースイッチがオンされ、電源が投入され、キーに対応した信号が発生され、メモリに記憶される。投入された電源は、所定時間、例えば５秒が経過するとオフされる。したがって、この所定時間内に次のキーが押圧されれば、継続した入力が可能であるが、一連のキー操作の間において、キー操作が中断して所定時間が経過すると、電源がオフされキー入力は無効となってしまう。
【００４５】
また、無線送信機が屋外に設置されたものであるから、単に、操作キーを押圧しただけでシャッターが作動されると、防犯上の問題がある。したがって、操作キーの操作とともに、その無線送信機で定めたＩＤコードをコード入力キーで入力するようにした。一例では、ＩＤコードを入力した後に操作キーを押圧するようにしたが、この順序は逆でもよい。ＩＤコードは、無線送信機で特定のコードを出荷時に定めているが、ユーザがこれを所望のコードに変更することもできる。変更したＩＤコードは、その無線送信機に記憶されるとともに、送信され、受信部の登録データが更新される。
【００４６】
図７（Ａ）は、通常のシャッター操作の入力のフローを示すものである。コード入力キーと上昇，停止，下降の各操作を行なう操作キーが、上述した所定時間を経過しない間隔で押圧され、それぞれのキースイッチが順次オンされると、フローがスタートする。Ｓ１１で、入力されたＩＤコードを、その無線送信機に登録されているＩＤコードと比較して、入力されたＩＤコードが登録されているＩＤコードに一致しなければ、操作信号を送信することなく電源をオフしてフローを終了する。Ｓ１１で、入力されたＩＤコードがその無線送信機に登録されているＩＤコードに一致すると、Ｓ１２に移行して、操作キーに対応した操作信号とＩＤコードを送信して、電源をオフしてフローを終了する。入力されたＩＤコードが登録されているＩＤコードに一致しない場合にも、操作信号と不適当なＩＤコードとを送信するようにしてもよい。受信部でＩＤコードのチェックが行なわれるから、シャッターが作動することはない。ＩＤコードが一致しない場合に送信をしないようにした方が電池寿命の観点からは有利である。
【００４７】
なお、電源のオフは、上述したように、制御部が強制的にオフさせるようにしてもよいが、上記の所定時間の経過により電源をオフしてフローを終了するようにしてもよい。
【００４８】
図７（Ｂ）は、盗難防止スイッチが作動した場合のフローである。盗難防止スイッチが作動すると、フローがスタートする。Ｓ１３で、盗難信号が作成される。盗難信号は、特定のコード信号でもよいが、盗難防止スイッチが作動したことを示す信号でもよく、特定の部分の電位をＨレベルまたはＬレベルとするような起動信号に相当するような信号でもよい。ついで、Ｓ１４に進み、盗難防止スイッチが作動したことを示す盗難信号をＩＤコードとともに送信する。この場合、ＩＤコードは、無線送信機の制御部が、メモリから読み出して盗難信号とともに受信部に送信する。このＩＤコードを付加しなくてもよいが、無線送信機の送信信号を受信できる地域内に他のシャッターシステムがあると、誤動作をするおそれがあり、この誤動作を防止するために、ＩＤコードを付加して送信することが望ましい。Ｓ１５で、その無線送信機に設けられたブザーを鳴動させる。この場合、電源のオンを継続するための動作をさせるのがよい。したがって、Ｓ１５のループは継続し、ブザーは鳴動し続ける。この鳴動は、電池が消耗するまで続く。このようにすれば、盗難をした者は、持ち続けることが苦痛となって、その場に捨ててしまう可能性が高く、盗難を防止できる。なお、盗難防止スイッチが作動した場合、自己保持を行なう回路を設けたり、あるいは、盗難信号を記憶させて、盗難防止スイッチを押圧しても、ブザーの鳴動を停止できないようにしてもよい。
【００４９】
図８は、盗難信号を受信した受信部の動作を示すフローチャートの一例である。信号を受信していないときは、Ｓ２１，Ｓ２２をループして待機状態にある。操作信号を受信すると、Ｓ２１からＳ２２へ移行して、ＩＤコードの一致をチェックし、ＩＤコードが登録されたＩＤコードに一致すれば、操作信号に応じて、上昇動作または停止動作または下降動作を行なう。ＩＤコードが一致しない場合は、シャッターの作動をすることなく待機状態のループに戻るが、その図示は省略する。上昇動作または下降動作中に停止信号を受信すれば、停止動作が行なわれる。盗難信号を受信すると、Ｓ２２からＳ２４へ移行して、受信したＩＤコードをチェックし、登録されたＩＤコードに一致すれば、受信部のブザーを鳴動させ、Ｓ２５で、盗難信号を送信した無線送信機について登録されたＩＤコードを受信部から抹消する。ついで、受信部の動作を停止させて（例えば、電源をオフさせて）、フローを終了させる。そうすると、もはや、他の無線送信機や図１０で説明したような押しボタンスイッチを操作しても、シャッターが動作しないから、屋外用無線送信機が盗難されたことが分かる。また、フローを終了させることなく、破線に示すように、待機状態のループに戻るようにしてもよい。いずれにしても、Ｓ２４におけるブザーの鳴動は、長時間にわたらないようにするのがよい。Ｓ２５で、盗難信号に付加して送られたＩＤコードが一致しない場合は、シャッターの作動をすることなく待機状態のループに戻るが、その図示は省略する。
【００５０】
なお、Ｓ２５における登録されたＩＤコードの抹消は、行なわないようにしてもよい。
【００５１】
上述したように、盗難防止スイッチが作動した場合に、無線送信機や受信部のブザーを鳴動させるようにすると、電池交換の際に、ブザーが鳴動してしまうという問題がある。受信部側のブザーの鳴動については、電源をオフして行なえばよい。また、無線送信機のブザーの鳴動については、電池を外すまでであるから、短時間に鳴動で、我慢ができなくはない。しかし、電池交換の際に、短時間でもブザーが鳴動することは、必ずしも好ましいことではない。また、受信部側の電源を電池交換の際にオフすることは煩雑であり、また、電源のオフ操作を忘れることもある。そうすると、電池交換の際にブザーの鳴動等を行なわないようにすることは好ましいことである。
【００５２】
図９は、上記要求に基づく盗難防止スイッチが作動したときの動作を示すフローチャートの一例である。この実施の形態では、ユーザは、電池交換等のために、化粧カバーを外す前に、その無線送信機のＩＤコードを入力してから化粧カバーを外すようにした。ＩＤコードの入力をした後に所定のキー操作、例えば、停止キーを３回押圧するなどの、キー操作をすることにより、化粧カバーを外すようにしてもよい。いずれにしても、化粧カバーを外す前に、ＩＤコードの入力をする特定のキー操作をすれば、一定の時間が経過するまでは、盗難信号が作成されないようにする。
【００５３】
無線送信機では、上述したＩＤコードが入力され、そのコードが無線送信機に記憶されているＩＤコードに一致すれば、所定時間、例えば５分間のタイマーがスタートしてタイマーオンの状態となる。タイマーは計数型のディジタルタイマーでも、アナログタイマーでもよい。盗難防止スイッチが作動すると、Ｓ３１で、タイマーがオン状態であるか否かがチェックされる。ＩＤコードが入力されていないか、あるいは、ＩＤコードが入力されても５分間が経過していれば、タイマーはオン状態でないから、Ｓ３３〜Ｓ３５へ移行する。Ｓ３３〜Ｓ３５は、図７（Ｂ）で説明したＳ１３〜Ｓ１５と同様であり、説明を省略する。盗難防止スイッチが作動したとき、タイマーがオン状態であれば、Ｓ３２，Ｓ３６をループする。この間は、盗難信号は作成されない。したがって、化粧カバーを外しても、無線送信機や受信部のブザーが鳴動したり、盗難信号が送信されることはない。また、Ｓ３２，Ｓ３６のループ中に電池交換等の作業が終了して、化粧カバーが取り付けられれば、Ｓ３６で、盗難防止スイッチがオフされるから、無線送信機の電源をオフしてフローを終了する。盗難防止スイッチがオフされることなく５分が経過すると、Ｓ３２からＳ３３〜Ｓ３５に移行して、盗難モードとなる。
【００５４】
このように、ＩＤコードを入力することを条件として、所定時間内に化粧カバーを外しても、盗難モードに移行しないようにすれば、電池交換等のためにユーザが化粧カバーを外しても、ブザーが鳴動するようなことはない。
【００５５】
なお、上述した実施の形態では、ＩＤコードが入力された後、所定時間が経過するまでは、盗難信号が作成されないようにしたが、盗難信号を作成してもよく、その場合は、ブザーを鳴動させない、盗難信号を送信しない、など盗難信号に基づく動作をしないようにすればよい。
【００５６】
また、電池を交換した場合に、タイマーがリセットされる場合は、電池を交換したときには、盗難防止スイッチがオン状態であるから、盗難モードに移行してしまいうことが考えられる。これを防止するためには、電池交換による電源の立ち上げ時には、電池を挿入した時点から所定時間が経過するまでは、盗難モードに移行しないようにしておけばよい。
【００５７】
なお、上述した実施の形態では、障害物感知を行なうための構成を備えた電動シャッターについて説明したが、本発明は、障害物感知を行なうことは必ずしも必要ではなく、かかる構成を有しない電動シャッターにも適用できる。また、押しボタンスイッチ入力端子も必ずしも必要とするものではない。また、図５〜図９で屋外設置用無線送信機として説明した無線送信機は、図２の屋内設置用無線送信機１０として用いてもよいものである。
【００５８】
【発明の効果】
以上の説明から明らかなように、本発明によれば、固定用の押しボタンスイッチとして無線送信機を用いることにより、屋内操作用のスイッチボックスを取り付けて配線を行なう作業が不必要となり、配線、配管工事もする必要がなく、工事費用を削減できる。
【００５９】
また、この無線送信機の取付部をカバーする化粧カバーを外した場合に、盗難モードに移行させるようにして、盗難を防止することができ、特に、屋外設置用に適した無線送信機を提供できる。また、ＩＤコードを入力してから、所定時間内は盗難モードに移行しないようにすることにより、電池交換等の際に、ユーザが化粧カバーを外しても警報音等が発生することがないという効果がある。
【図面の簡単な説明】
【図１】本発明の電動シャッターの実施の形態の一例の構成図である。
【図２】図１の電動シャッターを屋内側と屋外側とを分けて図示した配置図である。
【図３】受信部側の実施の形態の一例のブロック図である。
【図４】本発明の実施の形態における屋内設置用無線送信機の説明図である。
【図５】屋外設置用無線送信機の斜視図である。
【図６】屋外設置用無線送信機の電池交換の説明図である。
【図７】盗難防止スイッチの動作を示すフローチャートの一例である。
【図８】盗難信号を受信した受信部の動作を示すフローチャートの一例である。
【図９】盗難防止スイッチが作動したときの動作を示すフローチャートの一例である。
【図１０】電波を用いたリモコン式の電動シャッターの一例の構成図である。
【符号の説明】
１…シャッタースラット、２…開閉機、３…制御部、４…受信部、５…障害物感知部、６…障害物感知信号送出部、７…障害物感知信号検知部、８…アンテナ、９…携帯型無線送信機、１０…屋内設置用無線送信機、１１…屋外設置用無線送信機、１２…押しボタンスイッチ入力端子、１３…ケース、２１…無線送信機、２２…上昇ボタン、２３…停止ボタン、２４…下降ボタン、２５…電池切れ表示部、２６…コード登録・抹消スイッチ、２７…取付台、２８…取付孔、２９…取付ねじ、３０…係合片、３１…化粧カバー、３２…蓋部、３３…窓部、３４…工具挿入孔、４０…屋外設置用無線送信機本体部、４１…取付孔、４２…上昇キー、４３…停止キー、４４…下降キー、４５…コード入力キー、４６…カバー、４７…コード登録・抹消スイッチ、４８…盗難防止スイッチ、４９…電池蓋、５０…化粧カバー、５１…コイン、５２…電池収納部、５３…ボタン電池。
【図１】
0003865343.tif 000002
【図２】
0003865343.tif 000003
【図３】
0003865343.tif 000004
【図４】
0003865343.tif 000005
【図５】
0003865343.tif 000006
【図６】
0003865343.tif 000007
【図７】
0003865343.tif 000008
【図８】
0003865343.tif 000009
【図９】
0003865343.tif 000010
【図１０】
0003865343.tif 000011